(57)【要約】  処置具起立台の洗浄作業を短時間で手間をかけずに効率的に行うことができる処置具起立台の洗浄方法を提供する。本発明に係る処置具起立台の洗浄方法は、第１高さ位置まで形成された第１洗浄部材と、第１高さ位置よりも低い第２高さ位置まで形成された第２洗浄部材とを有する起立台洗浄用具を用いて、内視鏡の処置具起立台を洗浄する方法であって、第１洗浄部材を、内視鏡の起立台収納壁部と処置具起立台との間の隙間部に挿入する第１洗浄部材挿入ステップと、第２洗浄部材を、処置具起立台の処置具案内面に当接させる第２洗浄部材当接ステップと、第１洗浄部材を隙間部に挿入し、かつ第２洗浄部材を処置具案内面に当接させた状態で起立台洗浄用具を処置具案内面に沿って移動させる起立台洗浄用具移動ステップとを含む。
2017029904.tif 000002
【特許請求の範囲】
【請求項１】
先端と基端と長手軸を有するハンドル部と、
前記ハンドル部の先端側に設けられたヘッド部と、
前記ヘッド部に前記長手軸を含む基準面と交差する方向に立設された第１洗浄部材と、
前記ヘッド部に前記基準面と交差する方向でかつ前記第１洗浄部材よりもハンドル部側に立設され、前記長手軸に垂直な面に投影した場合に前記第１洗浄部材と平行または一致するように設けられた第２洗浄部材と、を有し、
前記第１洗浄部材は前記ヘッド部側の一端部とは反対側に第１端部を有し、
前記第２洗浄部材は前記ヘッド部側の一端部とは反対側に第２端部を有し、
前記第１端部は前記基準面から前記基準面に直交する方向の前記第１端部の高さ位置が第１高さ位置であり、かつ前記第２端部は前記基準面から前記基準面に直交する方向の高さ位置が前記第１高さ位置よりも低い第２高さ位置である
起立台洗浄用具を用いて、内視鏡の処置具起立台を洗浄する方法であって、
前記第１洗浄部材を、前記内視鏡の起立台収納壁部と前記処置具起立台との間の隙間部に挿入する第１洗浄部材挿入ステップと、
前記第２洗浄部材を、前記処置具起立台の処置具案内面に当接させる第２洗浄部材当接ステップと、
前記第１洗浄部材を前記隙間部に挿入し、かつ前記第２洗浄部材を前記処置具案内面に当接させた状態で前記起立台洗浄用具を前記処置具案内面に沿って移動させる起立台洗浄用具移動ステップと、
を含む処置具起立台の洗浄方法。
【請求項２】
先端と基端と長手軸を有するハンドル部と、
前記ハンドル部の先端側に設けられたヘッド部と、
前記ヘッド部に前記長手軸を含む基準面と交差する方向に立設された第１洗浄部材と、
前記ヘッド部に前記基準面と交差する方向でかつ前記第１洗浄部材よりもハンドル部側に立設され、前記長手軸に垂直な面に投影した場合に前記第１洗浄部材と平行または一致するように設けられた第２洗浄部材と、を有し、
前記第１洗浄部材は前記ヘッド部側の一端部とは反対側に第１端部を有し、
前記第２洗浄部材は前記ヘッド部側の一端部とは反対側に第２端部を有し、
前記第１端部は前記基準面から前記基準面に直交する方向の前記第１端部の高さ位置が第１高さ位置であり、かつ前記第２端部は前記基準面から前記基準面に直交する方向の高さ位置が前記第１高さ位置よりも低い第２高さ位置である
起立台洗浄用具を用いて、内視鏡の処置具起立台を洗浄する方法であって、
前記第１洗浄部材を、前記内視鏡の起立台収納壁部と前記処置具起立台との間の隙間部に挿入する第１洗浄部材挿入ステップと、
前記第２洗浄部材を、前記処置具起立台の処置具案内面とは反対側の背面に当接させる第２洗浄部材当接ステップと、
前記第１洗浄部材を前記隙間部に挿入し、かつ前記第２洗浄部材を前記背面に当接させた状態で前記起立台洗浄用具を前記背面に沿って移動させる起立台洗浄用具移動ステップと、
を含む処置具起立台の洗浄方法。
【請求項３】
前記第１洗浄部材挿入ステップは、前記処置具起立台を倒伏させた後に前記第１洗浄部材を前記隙間部に挿入する
請求項１に記載の処置具起立台の洗浄方法。
【請求項４】
前記第１洗浄部材挿入ステップは、前記処置具起立台を起立させた後に前記第１洗浄部材を前記隙間部に挿入する
請求項２に記載の処置具起立台の洗浄方法。
【請求項５】
先端と基端と長手軸を有するハンドル部と、
前記ハンドル部の先端側に設けられたヘッド部と、
前記ヘッド部に前記長手軸を含む基準面と交差する第１方向に立設され、前記第１方向に第１長さを有する第１洗浄部材と、
前記ヘッド部に前記基準面と交差する第２方向でかつ前記第１洗浄部材よりもハンドル部側に立設され、前記長手軸に垂直な面に投影した場合に前記第１洗浄部材と平行または一致するように設けられ、前記第２方向に前記第１長さよりも短い第２長さを有する第２洗浄部材と、
を有する起立台洗浄用具を用いて、内視鏡の処置具起立台を洗浄する方法であって、
前記第１洗浄部材を、前記内視鏡の起立台収納壁部と前記処置具起立台との間の隙間部に挿入する第１洗浄部材挿入ステップと、
前記第２洗浄部材を、前記処置具起立台の処置具案内面に当接させる第２洗浄部材当接ステップと、
前記第１洗浄部材を前記隙間部に挿入し、かつ前記第２洗浄部材を前記処置具案内面に当接させた状態で前記起立台洗浄用具を前記処置具案内面に沿って移動させる起立台洗浄用具移動ステップと、
を含む処置具起立台の洗浄方法。
【請求項６】
先端と基端と長手軸を有するハンドル部と、
前記ハンドル部の先端側に設けられたヘッド部と、
前記ヘッド部に前記長手軸を含む基準面と交差する第１方向に立設され、前記第１方向に第１長さを有する第１洗浄部材と、
前記ヘッド部に前記基準面と交差する第２方向でかつ前記第１洗浄部材よりもハンドル部側に立設され、前記長手軸に垂直な面に投影した場合に前記第１洗浄部材と平行または一致するように設けられ、前記第２方向に前記第１長さよりも短い第２長さを有する第２洗浄部材と、
を有する起立台洗浄用具を用いて、内視鏡の処置具起立台を洗浄する方法であって、
前記第１洗浄部材を、前記内視鏡の起立台収納壁部と前記処置具起立台との間の隙間部に挿入する第１洗浄部材挿入ステップと、
前記第２洗浄部材を、前記処置具起立台の処置具案内面とは反対側の背面に当接させる第２洗浄部材当接ステップと、
前記第１洗浄部材を前記隙間部に挿入し、かつ前記第２洗浄部材を前記背面に当接させた状態で前記起立台洗浄用具を前記背面に沿って移動させる起立台洗浄用具移動ステップと、
を含む処置具起立台の洗浄方法。
【請求項７】
前記第１洗浄部材挿入ステップは、前記処置具起立台を倒伏した後に前記第１洗浄部材を前記隙間部に挿入する
請求項５に記載の処置具起立台の洗浄方法。
【請求項８】
前記第１洗浄部材挿入ステップは、前記処置具起立台を起立させた後に前記第１洗浄部材を前記隙間部に挿入する
請求項６に記載の処置具起立台の洗浄方法。
【請求項９】
前記ヘッド部は、前記第１洗浄部材および前記第２洗浄部材を保持する洗浄部材保持面を有し、
前記第１洗浄部材の前記洗浄部材保持面から前記第１端部までの長さをＬ１とし、前記第２洗浄部材の前記洗浄部材保持面から前記第２端部までの長さをＬ２としたとき、次の条件式（１）を満たす請求項１から４のいずれか１項に記載の処置具起立台の洗浄方法。
Ｌ１＞Ｌ２・・・（１）
【請求項１０】
前記ヘッド部は、前記第１洗浄部材を保持する第１洗浄部材保持面と、前記第２洗浄部材を保持する第２洗浄部材保持面とを有し、
前記第１洗浄部材保持面の前記基準面から前記基準面に直交する方向の高さ位置が第３高さ位置であり、前記第２洗浄部材保持面の前記基準面から前記基準面に直交する方向の高さ位置が前記第３高さ位置より低い第４高さ位置であって、前記第３高さ位置と前記第４高さ位置との差をＬ３とし、
前記第１洗浄部材の前記第１洗浄部材保持面から前記第１端部までの長さをＬ４とし、前記第２洗浄部材の前記第２洗浄部材保持面から前記第２端部までの長さをＬ５としたとき、次の条件式（２）を満たす請求項１から４のいずれか１項に記載の処置具起立台の洗浄方法。
Ｌ３＋Ｌ４＞Ｌ５・・・（２）
【請求項１１】
前記起立台収納壁部は、前記処置具起立台を挟んで対向する第１側壁部と第２側壁部と、前記第１側壁部と前記第２側壁部の間に設けられる基壁部とを有し、
前記隙間部は、前記基壁部と前記処置具起立台との間の隙間部である
請求項１から１０のいずれか１項に記載の処置具起立台の洗浄方法。
【請求項１２】
前記第１洗浄部材は前記第２洗浄部材よりも硬い
請求項１から１１のいずれか１項に記載の処置具起立台の洗浄方法。
【請求項１３】
前記第１洗浄部材は第１材質で形成され、前記第２洗浄部材は前記第１材質よりも軟らかい第２材質で形成される
請求項１２に記載の処置具起立台の洗浄方法。
【請求項１４】
前記第１洗浄部材及び前記第２洗浄部材は複数のブラシ毛を有する
請求項１から１２のいずれか１項に記載の処置具起立台の洗浄方法。
【請求項１５】
前記第１洗浄部材のブラシ毛は前記第２洗浄部材のブラシ毛より太い
請求項１４に記載の処置具起立台の洗浄方法。
【発明の詳細な説明】
【技術分野】
【０００１】
本発明は、内視鏡の洗浄方法に関し、特に内視鏡挿入部の先端部に設けられた処置具起立台の洗浄方法に関する。
【背景技術】
【０００２】
内視鏡では、操作部に設けられた処置具挿入口に各種の処置具を挿入し、内視鏡挿入部の先端部に開口した処置具導出口から処置具を導出して用いる。例えば十二指腸鏡ではガイドワイヤや造影チューブ、超音波内視鏡では穿刺針等の処置具が用いられる。このような処置具は、被検体内の所望の位置を処置するため先端部において導出方向を変える必要があり、このため特許文献１に記載されているように先端部に処置具起立台が設けられている。【０００３】
ところで、内視鏡は各種の検査や処置に使用される度に、洗浄液や消毒液を用いて洗浄消毒処理を行う必要がある。特に、内視鏡挿入部の先端部は各種の検査や処置で体液や血液等に汚染される頻度が高いことから、例えば洗浄ブラシ等の起立台洗浄用具を用いて構造の細部まで洗浄する。【０００４】
例えば特許文献２には、処置具起立台を洗浄する起立台洗浄用具として、把持部（ハンドル部）の一端に連結された細長の芯部（ヘッド部）を有し、芯部の先端側にブラシ毛を一方向に立設してブラシ部を形成した洗浄ブラシが提案されている。
【先行技術文献】
【特許文献】
【０００５】
【特許文献１】特開２０１０−２０１０２０号公報
【特許文献２】特開平８−１８２６４８号公報
【発明の概要】
【発明が解決しようとする課題】
【０００６】
ところで、内視鏡の先端部は小型化されている上に処置具起立台は形状が複雑である。そのため、処置具起立台と起立台収納壁部との間、例えば、処置具起立台の根元部（回転軸保持部）の外周部と起立台収納壁部との間に構造上小さな隙間部が存在する。【０００７】
しかしながら、特許文献２で提案されている洗浄ブラシでは、処置具起立台周囲の隙間部を洗浄することは考慮されていない。そのため、処置具起立台周囲の隙間部を洗浄するためには専用の洗浄用具を別に用意しなければならず、洗浄する部位毎に洗浄用具を使い分けるなどの手間がかかり、洗浄作業が煩雑となってしまう。その結果、処置具起立台およびその周囲の隙間部を洗浄するのには、多くの時間と手間を要した。【０００８】
本発明は、このような事情に鑑みてなされたものであり、処置具起立台の洗浄作業を短時間で手間をかけずに効率的に行うことができる処置具起立台の洗浄方法を提供することを目的とする。
【課題を解決するための手段】
【０００９】
上記目的を達成するために、本発明の第１の態様に係る処置具起立台の洗浄方法は、先端と基端と長手軸を有するハンドル部と、ハンドル部の先端側に設けられたヘッド部と、ヘッド部に長手軸を含む基準面と交差する方向に立設された第１洗浄部材と、ヘッド部に基準面と交差する方向でかつ第１洗浄部材よりもハンドル部側に立設され、長手軸に垂直な面に投影した場合に第１洗浄部材と平行または一致するように設けられた第２洗浄部材とを有し、第１洗浄部材はヘッド部側の一端部とは反対側に第１端部を有し、第２洗浄部材はヘッド部側の一端部とは反対側に第２端部を有し、第１端部は基準面から基準面に直交する方向の第１端部の高さ位置が第１高さ位置であり、かつ第２端部は基準面から基準面に直交する方向の高さ位置が第１高さ位置よりも低い第２高さ位置である起立台洗浄用具を用いて、内視鏡の処置具起立台を洗浄する方法であって、第１洗浄部材を、内視鏡の起立台収納壁部と処置具起立台との間の隙間部に挿入する第１洗浄部材挿入ステップと、第２洗浄部材を、処置具起立台の処置具案内面に当接させる第２洗浄部材当接ステップと、第１洗浄部材を隙間部に挿入し、かつ第２洗浄部材を処置具案内面に当接させた状態で起立台洗浄用具を処置具案内面に沿って移動させる起立台洗浄用具移動ステップを含む態様である。【００１０】
第１の態様によれば、第１洗浄部材の第１高さ位置が第２洗浄部材の第２高さ位置よりも高い起立台洗浄用具を用いて、内視鏡の起立台収納壁部と処置具起立台との間の隙間部に第１洗浄部材を挿入しつつ、第２洗浄部材を処置具起立台の処置具案内面に当接した状態で、処置具起立台の洗浄作業を行う。これにより、第２洗浄部材による処置具起立台の処置具案内面の洗浄と同時に起立台収納壁部と処置具起立台との間の隙間部も第１洗浄部材で洗浄することが可能となり、処置具起立台の洗浄作業を短時間で手間をかけずに効率的に行うことができる。【００１１】
第２の態様に係る処置具起立台の洗浄方法は、先端と基端と長手軸を有するハンドル部と、ハンドル部の先端側に設けられたヘッド部と、ヘッド部に長手軸を含む基準面と交差する方向に立設された第１洗浄部材と、ヘッド部に基準面と交差する方向でかつ第１洗浄部材よりもハンドル部側に立設され、長手軸に垂直な面に投影した場合に第１洗浄部材と平行となるように設けられた第２洗浄部材とを有し、第１洗浄部材はヘッド部側の一端部とは反対側に第１端部を有し、第２洗浄部材はヘッド部側の一端部とは反対側に第２端部を有し、第１端部は基準面から基準面に直交する方向の第１端部の高さ位置が第１高さ位置であり、かつ第２端部は基準面から基準面に直交する方向の高さ位置が第１高さ位置よりも低い第２高さ位置である起立台洗浄用具を用いて、内視鏡の処置具起立台を洗浄する方法であって、第１洗浄部材を、内視鏡の起立台収納壁部と処置具起立台との間の隙間部に挿入する第１洗浄部材挿入ステップと、第２洗浄部材を、処置具起立台の処置具案内面とは反対側の背面に当接させる第２洗浄部材当接ステップと、第１洗浄部材を隙間部に挿入し、かつ第２洗浄部材を背面に当接させた状態で起立台洗浄用具を背面に沿って移動させる起立台洗浄用具移動ステップとを含む態様である。【００１２】
第２の態様によれば、第１洗浄部材の第１高さ位置が第２洗浄部材の第２高さ位置よりも高い起立台洗浄用具を用いて、内視鏡の起立台収納壁部と処置具起立台との間の隙間部に第１洗浄部材を挿入しつつ、第２洗浄部材を処置具起立台の背面に当接した状態で、処置具起立台の洗浄作業を行う。これにより、第２洗浄部材による処置具起立台の背面の洗浄と同時に起立台収納壁部と処置具起立台との間の隙間部も第１洗浄部材で洗浄することが可能となり、処置具起立台の洗浄作業を短時間で手間をかけずに効率的に行うことができる。【００１３】
第３の態様に係る処置具起立台の洗浄方法は第１の態様において、第１洗浄部材挿入ステップは、処置具起立台を倒伏させた後に第１洗浄部材を隙間部に挿入する態様である。【００１４】
第３の態様によれば、処置具起立台を倒伏させた後に第１洗浄部材を隙間部に挿入するので、第１洗浄部材を隙間部に挿入しやすく、洗浄作業をより効率的に行うことが可能となる。【００１５】
第４の態様に係る処置具起立台の洗浄方法は第２の態様において、第１洗浄部材挿入ステップは、処置具起立台を起立させた後に第１洗浄部材を隙間部に挿入する態様である。【００１６】
第４の態様によれば、処置具起立台を起伏させた後に第２洗浄部材を隙間部に挿入するので、第２洗浄部材を隙間部に挿入しやすく、洗浄作業をより効率的に行うことが可能となる。【００１７】
第５の態様に係る処置具起立台の洗浄方法は、先端と基端と長手軸を有するハンドル部と、ハンドル部の先端側に設けられたヘッド部と、ヘッド部に長手軸を含む基準面と交差する第１方向に立設され、第１方向に第１長さを有する第１洗浄部材と、ヘッド部に基準面と交差する第２方向でかつ第１洗浄部材よりもハンドル部側に立設され、長手軸に垂直な面に投影した場合に第１洗浄部材と平行または一致するように設けられ、第２方向に第１長さよりも短い第２長さを有する第２洗浄部材とを有する起立台洗浄用具を用いて、内視鏡の処置具起立台を洗浄する方法であって、第１洗浄部材を、内視鏡の起立台収納壁部と処置具起立台との間の隙間部に挿入する第１洗浄部材挿入ステップと、第２洗浄部材を、処置具起立台の処置具案内面に当接させる第２洗浄部材当接ステップと、第１洗浄部材を隙間部に挿入し、かつ第２洗浄部材を処置具案内面に当接させた状態で起立台洗浄用具を処置具案内面に沿って移動させる起立台洗浄用具移動ステップとを含む態様である。【００１８】
第５の態様によれば、第１洗浄部材の第１方向の第１長さが第２洗浄部材の第２方向の第２長さよりも長い起立台洗浄用具を用いて、内視鏡の起立台収納壁部と処置具起立台との間の隙間部に第１洗浄部材を挿入しつつ、第２洗浄部材を処置具起立台の処置具案内面に当接した状態で、処置具起立台の洗浄作業を行う。これにより、第２洗浄部材による処置具起立台の処置具案内面の洗浄と同時に起立台収納壁部と処置具起立台との間の隙間部も第１洗浄部材で洗浄することが可能となり、処置具起立台の洗浄作業を短時間で手間をかけずに効率的に行うことができる。【００１９】
第６の態様に係る処置具起立台の洗浄方法は、先端と基端と長手軸を有するハンドル部と、ハンドル部の先端側に設けられたヘッド部と、ヘッド部に長手軸を含む基準面と交差する第１方向に立設され、第１方向に第１長さを有する第１洗浄部材と、ヘッド部に基準面と交差する第２方向でかつ第１洗浄部材よりもハンドル部側に立設され、長手軸Ｐに垂直な面に投影した場合に第１洗浄部材と平行または一致するように設けられ、第２方向に第１長さよりも短い第２長さを有する第２洗浄部材と、を有する起立台洗浄用具を用いて、内視鏡の処置具起立台を洗浄する方法であって、第１洗浄部材を、内視鏡の起立台収納壁部と処置具起立台との間の隙間部に挿入する第１洗浄部材挿入ステップと、第２洗浄部材を、処置具起立台の処置具案内面とは反対側の背面に当接させる第２洗浄部材当接ステップと、第１洗浄部材を隙間部に挿入し、かつ第２洗浄部材を背面に当接させた状態で起立台洗浄用具を背面に沿って移動させる起立台洗浄用具移動ステップとを含む態様である。【００２０】
第６の態様によれば、第１洗浄部材の第１方向の第１長さが第２洗浄部材の第２方向の第２長さよりも長い起立台洗浄用具を用いて、内視鏡の起立台収納壁部と処置具起立台との間の隙間部に第１洗浄部材を挿入しつつ、第２洗浄部材を処置具起立台の背面に当接した状態で、処置具起立台の洗浄作業を行う。これにより、第２洗浄部材による処置具起立台の背面の洗浄と同時に起立台収納壁部と処置具起立台との間の隙間部も第１洗浄部材で洗浄することが可能となり、処置具起立台の洗浄作業を短時間で手間をかけずに効率的に行うことができる。【００２１】
第７の態様に係る処置具起立台の洗浄方法は第５の態様において、第１洗浄部材挿入ステップは、処置具起立台を倒伏した後に第１洗浄部材を隙間部に挿入する態様である。【００２２】
第７の態様によれば、処置具起立台を倒伏させた後に第１洗浄部材を隙間部に挿入するので、第１洗浄部材を隙間部に挿入しやすく、洗浄作業をより効率的に行うことが可能となる。【００２３】
第８の態様に係る処置具起立台の洗浄方法は第６の態様において、第１洗浄部材挿入ステップは、処置具起立台を起立させた後に第１洗浄部材を隙間部に挿入する態様である。【００２４】
第８の態様によれば、処置具起立台を起立させた後に第１洗浄部材を隙間部に挿入するので、第１洗浄部材を隙間部に挿入しやすく、洗浄作業をより効率的に行うことが可能となる。【００２５】
第９の態様に係る処置具起立台の洗浄方法は第１から第４の態様のいずれか１つにおいて、ヘッド部は、第１洗浄部材および第２洗浄部材を保持する洗浄部材保持面を有し、第１洗浄部材の洗浄部材保持面から第１端部までの長さをＬ１とし、第２洗浄部材の洗浄部材保持面から第２端部までの長さをＬ２としたとき、次の条件式（１）を満たす態様である。【００２６】
Ｌ１＞Ｌ２・・・（１）
第９の態様によれば、第１洗浄部材の洗浄部材保持面から第１端部までの長さＬ１を、第２洗浄部材の洗浄部材保持面から第２端部までの長さＬ２より長くしたので、内視鏡の起立台収納壁部と処置具起立台との間の隙間部に第１洗浄部材を挿入しつつ、第２洗浄部材を処置具起立台の案内面に当接した状態で、隙間部と処置具起立台の案内面を同時に洗浄することができる。よって、処置具起立台の洗浄作業を短時間で手間をかけずに効率的に行うことが可能となる。【００２７】
第１０の態様に係る処置具起立台の洗浄方法は第１から第４の態様のいずれか１つにおいて、ヘッド部は、第１洗浄部材を保持する第１洗浄部材保持面と、第２洗浄部材を保持する第２洗浄部材保持面とを有し、第１洗浄部材保持面の基準面から基準面に直交する方向の高さ位置が第３高さ位置であり、第２洗浄部材保持面の基準面から基準面に直交する方向の高さ位置が第３高さ位置より低い第４高さ位置であって、第３高さ位置と第４高さ位置との差をＬ３とし、第１洗浄部材の第１洗浄部材保持面から第１端部までの長さをＬ４とし、第２洗浄部材の第２洗浄部材保持面から第２端部までの長さをＬ５としたとき、次の条件式（２）を満たす態様である。【００２８】
Ｌ３＋Ｌ４＞Ｌ５・・・（２）
第１０の態様によれば、第１洗浄部材保持面を第２洗浄部材保持面よりもＬ３だけ高く形成したので、第１洗浄部材の第１洗浄部材保持面から第１端部までの長さＬ４をＬ３短く形成することができ、第１洗浄部材のコシを強くすることができる。よって、処置具起立台の洗浄作業をより効率的に行うことが可能となる。【００２９】
第１１の態様に係る処置具起立台の洗浄方法は第１から第１０の態様のいずれか１つにおいて、起立台収納壁部は、処置具起立台を挟んで対向する第１側壁部と第２側壁部と、第１側壁部と第２側壁部の間に設けられる基壁部とを有し、隙間部は、基壁部と処置具起立台との間の隙間部である態様である。【００３０】
第１１の態様によれば、隙間部は基壁部と処置具起立台との間の隙間部であるから、第１洗浄部材を隙間部に挿入した状態で、第２洗浄部材を処置具起立台の被洗浄面（処置具案内面または背面）に当接でき、隙間部と処置具起立台の被洗浄面を同時に洗浄することができる。よって、処置具起立台の洗浄作業を短時間で手間をかけずに効率的に行うことが可能となる。【００３１】
第１２の態様に係る処置具起立台の洗浄方法は第１から第１１の態様のいずれか１つにおいて、第１洗浄部材は第２洗浄部材よりも硬い態様である。【００３２】
第１２の態様によれば、第１洗浄部材を第２洗浄部材よりも硬くしたので、第１洗浄部材を隙間部に挿入しやすくなり、洗浄作業をより効率的に行うことが可能となる。【００３３】
第１３の態様に係る処置具起立台の洗浄方法は第１２の態様において、第１洗浄部材は第１材質で形成され、第２洗浄部材は第１材質よりも軟らかい第２材質で形成される態様である。【００３４】
第１３の態様によれば、第１洗浄部材を第２洗浄部材よりも硬い材質で形成したので、第１洗浄部材を隙間部に挿入しやすくなり、洗浄作業をより効率的に行うことが可能となる。【００３５】
第１４の態様に係る処置具起立台の洗浄方法は第１から第１２の態様のいずれか１つにおいて、第２洗浄部材及び第２洗浄部材は複数のブラシ毛を有する態様である。【００３６】
第１５の態様に係る処置具起立台の洗浄方法は第１４の態様において、第１洗浄部材のブラシ毛は第２洗浄部材のブラシ毛より太い態様である。【００３７】
第１５の態様によれば、第１洗浄部材のブラシ毛を第２洗浄部材のブラシ毛よりも太くしたので、第１洗浄部材を隙間部に挿入しやすくなり、洗浄作業をより効率的に行うことが可能となる。
【発明の効果】
【００３８】
本発明によれば、処置具起立台の洗浄作業を短時間で手間をかけずに効率的に行うことができる。
【図面の簡単な説明】
【００３９】
【図１】図１は、本発明の実施形態で洗浄対象となる内視鏡の一例を示す全体構成図である。
【図２】図２は、図１に示した内視鏡の先端部を拡大して示した斜視図である。
【図３】図３は、図２に示した先端部からキャップを取り外した状態を示した斜視図である。
【図４】図４は、図３に示した先端部本体の上面図である。
【図５】図５は、起立台を側面側から見た概略図である。
【図６】図６は、本実施形態で用いる起立台洗浄用具を示した斜視図である。
【図７】図７は、図６に示した起立台洗浄用具の側面図である。
【図８】図８は、図６に示した起立台洗浄用具の上面図である。
【図９Ａ】図９Ａは、起立台洗浄用具を用いて起立台を洗浄するときの様子を示した概略図である。
【図９Ｂ】図９Ｂは、起立台洗浄用具を用いて起立台を洗浄するときの様子を示した概略図である。
【図９Ｃ】図９Ｃは、起立台洗浄用具を用いて起立台を洗浄するときの様子を示した概略図である。
【図１０】図１０は、本実施形態に係る洗浄方法の手順を示すフローチャートである。
【図１１】図１１は、本実施形態に係る洗浄方法の手順を示すフローチャートである。
【図１２】図１２は、本実施形態に係る洗浄方法の手順を示すフローチャートである。
【図１３】図１３は、第１変形例としての起立台洗浄用具の構成を示した概略図である。
【図１４】図１４は、第２変形例としての起立台洗浄用具の構成を示した概略図である。
【図１５】図１５は、第３変形例としての起立台洗浄用具の構成を示した概略図である。
【図１６】図１６は、第４変形例としての起立台洗浄用具の構成を示した概略図である。
【図１７】図１７は、第５変形例としての起立台洗浄用具の構成を示した概略図である。
【発明を実施するための形態】
【００４０】
以下、添付図面を参照して、本発明の好ましい実施形態について詳細に説明する。
【００４１】
図１は、本発明の実施形態で洗浄対象となる内視鏡の一例を示す全体構成図である。
【００４２】
図１における内視鏡１０は、患者体内に挿入される挿入部１２と、挿入部１２の基端に連設され、内視鏡１０の把持及び挿入部１２の操作等に用いられる操作部１４と、内視鏡１０を不図示の光源装置やプロセッサ装置等のシステム構成機器に接続するユニバーサルコード１６とを備える。
【００４３】
挿入部１２は、先端側から基端側に向って先端部１２ａ、湾曲部１２ｂ、及び軟性部１２ｃが順に連結されて構成されている。先端部１２ａは、体内の被観察部位を撮影してその撮影した画像を観察画像（内視鏡画像）としてユニバーサルコード１６により接続されたプロセッサ装置に送る観察部や、ユニバーサルコード１６により接続された光源装置から内視鏡１０内部のライトガイドを通じて伝搬された照明光を被観察部位に照射する照明部などを備える。湾曲部１２ｂは、操作部１４のアングルノブ１８の操作により上下と左右の各々の方向に湾曲する。軟性部１２ｃは、可撓性を有し、挿入部１２の挿入経路に沿って任意の方向に湾曲する。
【００４４】
図２は、図１に示した内視鏡の先端部を拡大して示した斜視図である。本実施形態の内視鏡１０は例えば十二指腸鏡として用いられる側視内視鏡であり、図２の先端部１２ａは側視内視鏡における構成を示す。図２に示すように、先端部１２ａは、先端部本体３０と、この先端部本体３０を覆うキャップ３２とを有している。キャップ３２には、先端部本体３０に装着された状態において、後述の起立台収容スリット４０の上面側の開口に対応する位置に開口窓３２Ａが形成されている。キャップ３２は、弾性力のある材質、例えばシリコンゴムからなる。本実施形態の内視鏡１０では、キャップ３２は先端部本体３０に接着されている。
【００４５】
図２に示すように先端部１２ａには、挿入部１２の軸線である長手軸に対して略平行な平坦面３４が設けられ、その平坦面３４に観察窓３６及び照明窓３８が設けられる。
【００４６】
観察窓３６は、挿入部１２の長手軸に対して側方（径方向）に存在する被観察部位の画像を取得する観察部の構成要素であり、側方の被観察部位からの被写体光を観察部の他の構成要素である光学系（結像レンズ等）及び撮像手段に取り込む。照明窓３８は、先端部１２ａに搭載される照明部の構成要素であり、照明部の他の構成要素である光出射部、即ち、光源装置からの光を伝搬するライトガイドの終端部に設けられた光出射部から出射された照明光を被観察部位に照射する。
【００４７】
図３は、図２に示した先端部からキャップを取り外した状態を示した斜視図である。先端部本体３０において、平坦面３４の先端部１２ａの基端側からみて右側には、第１側壁部４２、第２側壁部４４、基壁部４６（図４参照、以下これらをまとめて起立台収納壁部４８ともいう）とで囲まれる起立台収容スリット４０が設けられ、起立台収容スリット４０には処置具起立台６０（以下、単に起立台６０とも言う）が設けられる。起立台収容スリット４０は、挿入部１２内を挿通する処置具挿通チャンネルを通じて操作部１４の処置具導入口２２（図１参照）に連通しており、処置具導入口２２から挿入された処置具が処置具導出口（不図示）を介して起立台収容スリット４０に導かれる。
【００４８】
起立台６０は、処置具導出口を介して起立台収容スリット４０に導かれた処置具の進行方向を曲げて起立台収容スリット４０の上面側の開口部４０ａへと向かう方向に案内する。
【００４９】
また、起立台６０は、操作部１４の起立操作レバー２０（図１参照）の操作により起立する方向（起立方向）又は倒伏する方向（倒伏方向）に起伏動作（回転）し、処置具導出口を介して起立台収容スリット４０に導かれた処置具の導出方向（導出角度）を変更する。
【００５０】
具体的には、起立台６０は、第２側壁部４４を隔てて起立レバー８０と不図示の回転軸を介して連結されており、起立レバー８０の先端には、操作ワイヤ８２の先端部が連結される。操作ワイヤ８２は、挿入部１２内を挿通して操作部１４の起立操作レバー２０に連結されている。
【００５１】
これによって、起立操作レバー２０の操作により操作ワイヤ８２が押し引きされて起立レバー８０と不図示の回転軸が回転し、その回転によって起立台６０が回転し、起立台６０が起伏動作する。なお、回転軸を回転させる起立台起立機構は起立レバー８０を操作ワイヤ８２により押し引きする本実施形態のものに限らない。
【００５２】
なお、平坦面３４の観察窓３６の近傍には操作部１４の送気送水ボタン２１ａ（図１参照）の操作により観察窓３６への送気と送水とを切替可能に行う送気送水ノズル３９が設けられる。また、挿入部１２内において処置具挿通チャンネルには吸引チャンネルが接続されており、操作部１４の吸引ボタン２１ｂ（図１参照）の操作により起立台収容スリット４０からの吸引が行われる。
【００５３】
図４は、図３に示した先端部本体３０の上面図（先端部本体３０を上面側（平坦面３４側）から見た図）である。また、図５は、起立台６０を側面側（第２側壁部４４側）から見た概略図である。
【００５４】
図４に示すように、起立台６０は、起立台本体部６０Ａと、起立台本体部６０Ａの基端に連設される回転軸保持部６０Ｂとから構成される。
【００５５】
起立台本体部６０Ａは、起立台収容スリット４０とほぼ同じ幅を有しており、その上面部には処置具導出口から導出された処置具を所定方向に案内するための処置具案内面６２が設けられている。起立台本体部６０Ａは、第２側壁部４４側に膨らんだ膨出形状を有しており、その膨出部分の基端側には、基壁部４６と所定の隙間を有して対向する後端面９２が設けられている。
【００５６】
回転軸保持部６０Ｂは、起立台６０の回転軸を保持する部分であり、一端は起立台本体部６０Ａに結合され、他端は円弧状の外周面からなる基部端面９０を有しており、その内側に起立台６０の回転軸が設けられている。
【００５７】
図４に示すように、起立台収納壁部４８に起立台６０が収納された状態において、起立台６０が回転軸回りに回転自在となるように、起立台６０は起立台収納壁部４８との間に所定のクリアランス（隙間）が設けられている。
【００５８】
起立台６０の側面部は起立台６０を起伏動作させることにより起立台収容スリット４０の外側に容易に露出させることができるため洗浄は比較的容易である反面、起立台６０の根元部（回転軸保持部６０Ｂ）や、起立台６０の回転軸保持部６０Ｂの基部端面９０と起立台収納壁部４８との間に形成される隙間部７０や、起立台本体部６０Ａの後端面９２と起立台収納壁部４８との間に形成される隙間部７２は小さく、しかも、図５に示すように、起立台６０の回転軸保持部６０Ｂの基部端面９０と起立台収納壁部４８との間の隙間部７０は、構造上、起立台収容スリット４０の深部に位置し、起立台洗浄用具を挿入しづらく洗浄に手間と時間がかかる。
【００５９】
そこで、本実施形態の洗浄方法では、以下に詳細を説明するように、互いに高さが異なる洗浄部材１０６及び１０８（第１洗浄部材１０６及び第２洗浄部材１０８）を有する起立台洗浄用具１００Ａを用いて、処置具起立台６０の被洗浄面（処置具案内面６２または背面６４）の洗浄とともに、処置具起立台６０と起立台収納壁部４８との間に設けられる隙間部７０または７２を同時に洗浄できる。これにより、処置具起立台６０の洗浄作業を短時間で手間をかけずに効率的に行うことが可能となる。以下、詳細を説明する。
【００６０】
図６、図７及び図８に、本実施形態で用いる起立台洗浄用具１００Ａを示す。図６は斜視図、図７は側面図、図８は上面図である。
【００６１】
図６から図８に示すように、本実施形態の起立台洗浄用具１００Ａは、起立台洗浄用具１００Ａを把持するためのハンドル部１０２と、洗浄部材１０６及び１０８が立設されているヘッド部１０４とを有している。
【００６２】
ハンドル部１０２は先端と基端と長手軸Ｐとを有しており、ヘッド部１０４はハンドル部１０２の先端側に設けられている。図８に示すように、ヘッド部１０４の長手軸Ｐに垂直な方向の幅は、ハンドル部１０２の長手軸Ｐに垂直な方向の幅よりも狭くなっている。これにより、ヘッド部１０４を起立台収容スリット４０内に挿入しやすくなっており、起立台６０とその周囲の隙間部７０または７２の洗浄効率を向上させることができる。なお、ヘッド部１０４の長手軸Ｐに垂直な方向の幅は、先端部本体３０や起立台収容スリット４０の寸法（幅）に応じて最適な値に決められている。
【００６３】
ヘッド部１０４は、ヘッド部１０４の先端側に立設された第１洗浄部材１０６と、第１洗浄部材１０６と隣接し、第１洗浄部材１０６よりもハンドル部側に立設された第２洗浄部材１０８とを有している。本実施形態では、第１洗浄部材１０６と第２洗浄部材１０８は、同じ材質で同じ太さのブラシ毛を複数本用いて形成されている。
【００６４】
なお、後述するように、第１洗浄部材１０６と第２洗浄部材１０８とで異なる材質のブラシ毛を用いてもよい。また、第１洗浄部材１０６と第２洗浄部材１０８とにブラシ毛以外の材質を用いてもよいし、第１洗浄部材１０６と第２洗浄部材１０８とで材質を異ならせてもよい。
【００６５】
また、本実施形態の起立台洗浄用具１００Ａは、起立台６０と起立台収納壁部４８との間に設けられる隙間部７０及び７２に第１洗浄部材１０６を挿入しやすくするために、図７に示すように第１洗浄部材１０６は第２洗浄部材１０８よりも長くなっている。
【００６６】
ここで、第１洗浄部材１０６と第２洗浄部材１０８の長さ関係について詳しく説明する。
【００６７】
図６に示すように、ハンドル部１０２の長手軸Ｐを含む面を基準面Ｑとする。そして、図７に示すように、第１洗浄部材１０６の基準面Ｑから基準面Ｑに垂直な方向の高さ位置を第１高さ位置Ｈ１とし、第２洗浄部材１０８の基準面Ｑから基準面Ｑに垂直な方向の高さ位置を第２高さ位置Ｈ２としたとき、第１高さ位置Ｈ１が第２高さ位置Ｈ２よりも高くなるように、第１洗浄部材１０６と第２洗浄部材１０８の長さが規定されている。
【００６８】
さらに詳しく説明する。図７に示すように、本実施形態においては、起立台洗浄用具１００Ａのヘッド部１０４は、第１洗浄部材１０６と第２洗浄部材１０８が立設される洗浄部材保持面１１０を有している。また、第１洗浄部材１０６と第２洗浄部材１０８はそれぞれ、ヘッド部側（洗浄部材保持面側）の一端部とは反対側の他端部として第１端部１０６Ａと第２端部１０８Ａを有している。
【００６９】
ここで、洗浄部材保持面１１０から第１端部１０６Ａまでの長さをＬ１とし、洗浄部材保持面１１０から第２端部１０８Ａまでの長さをＬ２としたとき、以下の式（３）を満足する。
【００７０】
Ｌ１＞Ｌ２・・・（３）
すなわち、本実施形態では、第１洗浄部材１０６と第２洗浄部材１０８は基準面Ｑに対して略平行な洗浄部材保持面１１０に保持されており、上式（３）を満たすように、第１洗浄部材１０６の長さＬ１と、第２洗浄部材１０８の長さＬ２が規定されている。このような関係を満たすことにより、第１洗浄部材１０６は第２洗浄部材１０８よりも長く形成され、起立台６０の被洗浄面（処置具案内面６２または背面６４）を洗浄する際に、第１洗浄部材１０６を起立台６０と起立台収納壁部４８との隙間部７０または７２（図４参照）に挿入しやすく、かつ第２洗浄部材１０８を被洗浄面に当接させることが容易となる。
【００７１】
また、本実施形態の起立台洗浄用具１００Ａは、被洗浄面（処置具案内面６２または背面６４）と起立台６０と起立台収納壁部４８との隙間部７０または７２を同時に洗浄できるようにするために、図８に示すように、第１洗浄部材１０６と第２洗浄部材１０８は長手軸Ｐに沿って同一直線上に立設されている。すなわち、長手軸Ｐに垂直な面に投影した場合に、第１洗浄部材１０６と第２洗浄部材１０８が互いに一致するように、第１洗浄部材１０６と第２洗浄部材１０８が立設されている。
【００７２】
よって、第２洗浄部材１０８で被洗浄面を洗浄しつつ、被洗浄面の延長線上にある隙間の深部まで第１洗浄部材１０６を挿入した状態で効率的に洗浄することが可能となる。なお、本実施形態では、第１洗浄部材１０６と第２洗浄部材１０８は同一直線上に一列に並べて配置されているが、これに限らない。例えば、第２洗浄部材１０８はヘッド部１０４の長手軸Ｐに沿って複数列に配置されていてもよい。すなわち、長手軸Ｐに垂直な面に投影した場合に、第１洗浄部材１０６と第２洗浄部材１０８が互いに平行となるように設けられていてもよい。この態様によれば、起立台６０と起立台収納壁部４８との間の隙間部７０または７２を洗浄しつつ、被洗浄面（処置具案内面６２および背面６４）の洗浄効率を向上させることが可能となる。
【００７３】
次に、本実施形態の洗浄方法の手順を被洗浄面毎に説明する。
【００７４】
図９Ａから図９Ｃは、起立台洗浄用具を用いて起立台を洗浄するときの様子を示した概略図であり、被洗浄面ごとに洗浄時の起立台洗浄用具１００Ａと起立台６０との位置関係を示したものである。
【００７５】
まず、図９Ａについて説明する。ここでの被洗浄面は、処置具案内面６２、起立台６０の回転軸保持部６０Ｂの基部端面９０、及び、基部端面９０と基壁部４６の間の隙間部７０である。以下、図９Ａと図１０のフローチャートを参照しながら洗浄の手順を説明する。
【００７６】
（ステップＳ１０：起立台倒伏ステップ）
まず、起立台６０を倒伏させる。こうすることで、起立台６０の回転軸保持部６０Ｂと基壁部４６との間の隙間部７０の開口領域を広げることができ、後述する第１洗浄部材１０６の挿入が容易になる。
【００７７】
（ステップＳ１２：第１洗浄部材挿入ステップ）
次に、隙間部７０に第１洗浄部材１０６を挿入する。この際、第１洗浄部材１０６を挿入方向に沿って進退移動させながら挿入すると、隙間部７０の汚れ、例えば基部端面９０や基壁部４６に付着した汚れを効果的に除去しながら第１洗浄部材１０６の第１端部１０６Ａを隙間部７０の深部に到達させることができる。
【００７８】
（ステップＳ１４：第２洗浄部材当接ステップ）
上述の第１洗浄部材１０６を挿入した状態を維持しつつ、第２洗浄部材１０８を処置具案内面６２に当接させる。このようにすることで、後述のステップＳ１６において、隙間部７０と処置具案内面６２とを同時に洗浄することができる。なお、第２洗浄部材１０８は、第２端部１０８Ａの一部が処置具案内面６２に当接していてもよく、第２端部１０８Ａの全てが処置具案内面６２に当接していてもよい。
【００７９】
（ステップＳ１６：洗浄用具移動ステップ）
前述の第１洗浄部材１０６と第２洗浄部材１０８の状態を維持したまま、起立台洗浄用具１００Ａをハンドル部１０２の長手軸Ｐ方向（図９Ａの矢印（Ｉ）方向）に移動させる。
【００８０】
こうすることで、第１洗浄部材１０６は挿入方向（図９Ａの矢印（ＩＩ））に移動するので隙間部７０と回転軸保持部６０Ｂの基部端面９０を洗浄でき、第２洗浄部材１０８はハンドル部１０２の長手軸Ｐ方向（図９Ａの矢印（Ｉ）方向）に移動するので処置具案内面６２を洗浄することができる。
【００８１】
よって、処置具案内面６２と、起立台６０の回転軸保持部６０Ｂの基部端面９０と、基部端面９０と基壁部４６の間の隙間部７０とを同時に洗浄することができる。
【００８２】
以上のように、起立台洗浄用具１００Ａを用いて起立台６０とその周囲を短時間で手間をかけずに効率的に洗浄することができる。
【００８３】
なお、上述の手順では起立台６０を倒伏してから第１洗浄部材１０６を隙間部７０に挿入したが、これに限定されず、隙間部７０に第１洗浄部材１０６が挿入できれば起立台６０を倒伏させなくてもよい。
【００８４】
また、上述の手順では第１洗浄部材１０６を隙間部７０に挿入してから第２洗浄部材１０８を処置具案内面６２に当接させたが、これに限定されず、第２洗浄部材１０８を処置具案内面６２に当接させてから第１洗浄部材１０６を隙間部７０に挿入するようにしてもよい。
【００８５】
次に、図９Ｂについて説明する。ここでの被洗浄面は、処置具起立台６０の処置具案内面６２とは反対側の背面６４、起立台６０の回転軸保持部６０Ｂの基部端面９０、及び、基部端面９０と基壁部４６との間の隙間部７０である。以下、図９Ｂと図１１のフローチャートを参照しながら洗浄の手順を説明する。
【００８６】
（ステップＳ２０：起立台起立ステップ）
まず、起立台６０を起立させる。こうすることで、起立台６０の回転軸保持部６０Ｂと基壁部４６との間の隙間部７０の開口領域を広げることができ、後述する第１洗浄部材１０６の挿入が容易になる。
【００８７】
（ステップＳ２２：第１洗浄部材挿入ステップ）
次に、隙間部７０に第１洗浄部材１０６を挿入する。この際、第１洗浄部材１０６を挿入方向に沿って進退移動させながら挿入すると、隙間部７０の汚れ、例えば基部端面９０や基壁部４６に付着した汚れを効果的に除去しながら第１洗浄部材１０６の第１端部１０６Ａを隙間部７０の深部に到達させることができる。
【００８８】
（ステップＳ２４：第２洗浄部材当接ステップ）
上述の第１洗浄部材１０６を挿入した状態を維持しつつ、第２洗浄部材１０８を背面６４に当接させる。こうすることで、後述のステップＳ２６において、隙間部７０と背面６４とを同時に洗浄することができる。なお、第２洗浄部材１０８の第２端部１０８Ａの一部が背面６４に当接してもよいし、第２洗浄部材１０８の第２端部１０８Ａの全てが背面６４に当接していてもよい。
【００８９】
（ステップＳ２６：洗浄用具移動ステップ）
前述の第１洗浄部材１０６と第２洗浄部材１０８の状態を維持したまま、起立台洗浄用具１００Ａをハンドル部の長手軸Ｐ方向（図９Ｂの矢印（ＩＩＩ）方向）に移動させる。
【００９０】
こうすることで、第１洗浄部材１０６は挿入方向（図９Ｂの矢印（ＩＶ））に移動するので隙間部７０と回転軸保持部６０Ｂの基部端面９０を洗浄でき、第２洗浄部材１０８はハンドル部１０２の長手軸Ｐ方向（図９Ｂの矢印（ＩＩＩ）方向）に移動するので背面６４を洗浄することができる。
【００９１】
よって、背面６４と、起立台６０の回転軸保持部６０Ｂの基部端面９０と、基部端面９０と基壁部４６との隙間部７０とを同時に洗浄することができる。
【００９２】
以上のように、起立台洗浄用具１００Ａを用いて起立台６０とその周囲を短時間で手間をかけずに効率的に洗浄することができる。
【００９３】
なお、上述の手順では起立台６０を起立してから第１洗浄部材１０６を隙間部７０に挿入したが、これに限定されず、隙間部７０に第１洗浄部材１０６が挿入できれば起立台６０を起立させなくてもよい。
【００９４】
また、上述の手順では第１洗浄部材１０６を隙間部７０に挿入してから第２洗浄部材１０８を背面６４に当接させたが、これに限定されず、第２洗浄部材１０８を背面６４に当接させてから第１洗浄部材１０６を隙間部７０に挿入するようにしてもよい。
【００９５】
最後に、図９Ｃについて説明する。ここでの被洗浄面は、背面６４と、起立台６０の起立台本体部６０Ａの後端面９２と、後端面９２と基壁部４６の間の隙間部７２である。以下、図９Ｃと図１２のフローチャートを参照しながら洗浄の手順を説明する。
【００９６】
（ステップＳ３０：起立台起立ステップ）
まず、起立台６０を起立させる。こうすることで、起立台６０の起立台本体部６０Ａの後端面９２と基壁部４６との間の隙間部７２の開口領域を広げることができ、後述する第１洗浄部材１０６の挿入が容易になる。
【００９７】
（ステップＳ３２：第１洗浄部材挿入ステップ）
次に、隙間部７２に第１洗浄部材１０６を挿入する。この際、第１洗浄部材１０６を挿入方向に沿って挿進退移動させながら挿入すると、隙間部７２の汚れ、例えば後端面９２や基壁部４６に付着した汚れを効果的に除去しながら第１洗浄部材１０６の第１端部１０６Ａを隙間部７２の深部に到達させることができる。
【００９８】
（ステップＳ３４：第２洗浄部材当接ステップ）
上述の第１洗浄部材１０６を挿入した状態を維持しつつ、第２洗浄部材１０８を背面６４に当接させる。こうすることで、後述のステップＳ３６において、隙間部７２と背面６４とを同時に洗浄することができる。なお、第２洗浄部材１０８の第２端部１０８Ａの一部が背面６４に当接してもよいし、第２洗浄部材１０８の第２端部１０８Ａの全てが背面６４に当接していてもよい。
【００９９】
（ステップＳ３６：洗浄用具移動ステップ）
前述の第１洗浄部材１０６と第２洗浄部材１０８の状態を維持したまま、起立台洗浄用具１００Ａをハンドル部の長手軸Ｐ方向（図９Ｃの矢印（Ｖ）方向）に移動させる。
【０１００】
こうすることで、第１洗浄部材１０６は挿入方向（図９Ｃの矢印（ＶＩ））に移動するので隙間部７２と回転軸保持部６０Ｂの後端面９２を洗浄でき、第２洗浄部材１０８はハンドル部の長手軸Ｐ方向（図９Ｃの矢印（Ｖ）方向）に移動するので処置具案内面６２を洗浄することができる。
【０１０１】
よって、背面６４と、起立台６０の後端面９２と、後端面９２と基壁部４６の間の隙間部７２とを同時に洗浄することができる。
【０１０２】
以上のように、起立台洗浄用具１００Ａを用いて起立台６０とその周囲を短時間で手間をかけずに効率的に洗浄することができる。
【０１０３】
なお、上述の洗浄手順では起立台６０を起立してから第１洗浄部材１０６を隙間部７２に挿入したが、これに限定されず、隙間部７２に第１洗浄部材１０６が挿入できれば起立台６０を起立させなくてもよい。
【０１０４】
また、上述の手順では第１洗浄部材１０６を隙間部７２に挿入してから第２洗浄部材１０８を背面６４に当接させたが、これに限定されず、第２洗浄部材１０８を背面６４に当接させてから第１洗浄部材１０６を隙間部７２に挿入するようにしてもよい。
【０１０５】
以上説明したように、本実施態様によれば、第１洗浄部材１０６の第１端部１０６Ａの第１高さ位置Ｈ１が第２洗浄部材１０８の第２端部１０８Ａの第２高さ位置Ｈ２よりも高い起立台洗浄用具１００Ａを用いて起立台６０を洗浄することで、起立台６０の被洗浄面（処置具案内面６２または背面６４）とその周囲の隙間部７０または７２を短時間で手間をかけずに効率的に洗浄することができる。
【０１０６】
なお、上述した実施形態では、洗浄する隙間部は、起立台６０と基壁部４６との間の隙間部７０及び７２としたが、これに限定されず、起立台６０と第１側壁部４２との間の隙間部、または起立台６０と第２側壁部４４との間の隙間部としてもよい。
【０１０７】
また、上述した実施形態では、起立台洗浄用具１００Ａは、図６から図８で説明した構成としたが、他の構成を採用することも可能である。
【０１０８】
（第１変形例）
図１３は、第１変形例としての起立台洗浄用具１００Ｂの構成を示した概略図である。図１３中、図６から図８と共通または類似する要素には同一の番号を付し、その説明を省略する。
【０１０９】
図１３に示すように、第１変形例としての起立台洗浄用具１００Ｂのヘッド部１０４には、第１洗浄部材１０６と第２洗浄部材１０８が立設されている点は上述した実施形態と同様である。第１変形例での第１洗浄部材１０６と第２洗浄部材１０８は、ブラシ毛を複数本用いて形成されている。
【０１１０】
第１変形例において、ヘッド部１０４は、第１洗浄部材１０６が立設されている第１洗浄部材保持面１１２と、第２洗浄部材１０８が立設されている第２洗浄部材保持面１１４とを有し、これら洗浄部材保持面１１２、１１４は互いに異なる高さ位置に設けられている。すなわち、ヘッド部１０４は、第１洗浄部材保持面１１２と第２洗浄部材保持面１１４との間に段差を有して構成される。
【０１１１】
ここで、第１洗浄部材保持面１１２と第２洗浄部材保持面１１４の位置関係、第１洗浄部材１０６と第２洗浄部材１０８の長さ関係、およびこれらの相関関係を詳しく説明する。
【０１１２】
図１３に示すように、ハンドル部１０２の長手軸Ｐを含む面を基準面Ｑとしたとき（図６参照）、第１洗浄部材保持面１１２と第２洗浄部材保持面１１４は基準面Ｑに略並行に設けられている。そして、第１洗浄部材保持面１１２の基準面Ｑから基準面Ｑに垂直な方向の高さ位置を第３高さ位置Ｈ３とし、第２洗浄部材保持面１１４の基準面Ｑから基準面Ｑに垂直な方向の高さ位置を第４高さ位置Ｈ４としたとき、第３高さ位置Ｈ３が第４高さ位置Ｈ４よりもＬ３だけ高くなるよう（第３高さ位置Ｈ３と第４高さ位置Ｈ４の差がＬ３）に設けられている。
【０１１３】
次に、第１洗浄部材１０６と第２洗浄部材１０８の長さについて説明する。第１洗浄部材１０６は、ヘッド部側（第１洗浄部材保持面１１２側）の一端部とは反対側の他端部である第１端部１０６Ａを有している。また、第２洗浄部材１０８は、ヘッド部側（第２洗浄部材保持面１１４側）の一端部とは反対側の他端部である第２端部１０８Ａを有している。
【０１１４】
ここで、第１洗浄部材１０６の第１洗浄部材保持面１１２から第１端部１０６Ａまでの長さをＬ４とし、第２洗浄部材１０８の第２洗浄部材保持面１１４から第２端部１０８Ａまでの長さをＬ５としたとき、以下の条件式（４）を満足する。
【０１１５】
Ｌ３＋Ｌ４＞Ｌ５・・・（４）
条件式（４）の左辺は、第１洗浄部材１０６の第１端部１０６Ａの第２洗浄部材保持面１１４（基準となる面）からの高さ位置Ｈ５であり、右辺は第２洗浄部材１０８の第２端部１０８Ａの第２洗浄部材保持面１１４（基準となる面）からの高さ位置Ｈ６であり、条件式（４）は高さ位置Ｈ５が高さ位置Ｈ６よりも高いことを示している。
【０１１６】
すなわち、第１変形例としての起立台洗浄用具１００Ｂにおいても、第１洗浄部材１０６の第１端部１０６Ａの高さ位置は第２洗浄部材１０８の第２端部１０８Ａの高さ位置よりも高い位置に設けられるので、上述した実施形態の洗浄方法で用いられる起立台洗浄用具１００Ａと同様に、図９Ａから図９Ｃで説明した洗浄方法で被洗浄面を洗浄することができる。したがって、第１変形例においても、上述した実施形態と同様に、処置具起立台の洗浄作業を短時間で手間をかけずに効率的に行うことが可能となる。
【０１１７】
また、第１変形例としての起立台洗浄用具１００Ｂによれば、ヘッド部１０４の第１洗浄部材保持面１１２と第２洗浄部材保持面１１４は高さＬ３の段差を有して構成されるので（すなわち、第１洗浄部材保持面１１２は第２洗浄部材保持面１１４よりも高い位置に設けられるので）、上述した実施形態の起立台洗浄用具１００Ａに比べて、第１洗浄部材１０６の長さを短く構成することができる。これにより、第１洗浄部材１０６のコシが強くなるので、処置具起立台６０を洗浄する際に、第１洗浄部材１０６を隙間部７０または７２に挿入しやすく、しかも隙間部７０または７２の深部まで容易に侵入させることが可能となる。したがって、処置具起立台６０の洗浄作業をさらに効率的に行うことができる。
【０１１８】
（第２変形例）
図１４は、第２変形例としての起立台洗浄用具１００Ｃの構成を示した概略図である。図１４中、図６から図８と共通または類似する要素には同一の番号を付し、その説明を省略する。第２変形例での第１洗浄部材１０６と第２洗浄部材１０８は、ブラシ毛を複数本用いて形成されている。
【０１１９】
図１４に示すように、第２変形例としての起立台洗浄用具１００Ｃは、第１洗浄部材１０６の長さが第２洗浄部材１０８の長さよりも長い点は上述した実施形態と共通しているが、第２洗浄部材１０８の長さがハンドル部１０２の長手軸Ｐ基端側に向かって段階的に短くなっている。
【０１２０】
すなわち、第２変形例としての起立台洗浄用具１００Ｃでは、ヘッド部１０４の先端側に配置される第１洗浄部材１０６を隙間部７０または７２に挿入しやすくするために第１洗浄部材１０６の長さは第２洗浄部材１０８の長さよりも長く構成される一方で、第２洗浄部材１０８の第２端部１０８Ａの高さ位置は被洗浄面の形状に合わせて長手軸Ｐ方向に沿ってその長さが変化するように構成される。例えば、図１４に示すように、長手軸Ｐ基端側に向かって段階的に短くした場合には、処置具起立台６０の背面６４のように凸上の被洗浄面に第２洗浄部材１０８を当接させやすくなる。
【０１２１】
このように、第２洗浄部材１０８の長さの構成を被洗浄面の形状に対応させることにより、処置具起立台６０の洗浄効率を向上させることが可能となる。
【０１２２】
（第３変形例）
図１５は、第３変形例としての起立台洗浄用具１００Ｄの構成を示した概略図である。図１５中、図６から図８と共通または類似する要素には同一の番号を付し、その説明を省略する。第３変形例での第１洗浄部材１０６と第２洗浄部材１０８は、複数本のブラシ毛を用いて形成される。
【０１２３】
図１５に示すように、第３変形例としての起立台洗浄用具１００Ｄは、第１洗浄部材１０６の長さが第２洗浄部材１０８の長さよりも長い点、第２洗浄部材１０８が基準面Ｑに対して垂直な方向に立設している点は上述した実施形態と共通しているが、第１洗浄部材１０６が第２洗浄部材１０８の立設方向に対して斜めの方向に立設される点で上述した実施形態と異なっている。
【０１２４】
具体的には、第１洗浄部材１０６は、第１端部１０６Ａに向かうにつれて（洗浄部材保持面１１０から離れるにつれて）第２洗浄部材１０８との間隔が大きくなるように立設される。すなわち、第１洗浄部材１０６は、ヘッド部１０４の先端側に向かって傾いた状態で立設される。
【０１２５】
第３変形例としての起立台洗浄用具１００Ｄによれば、上述した実施形態と同様に第１洗浄部材１０６の第１端部１０６Ａの高さ位置は第２洗浄部材１０８の第２端部１０８Ａの高さ位置よりも高く、かつ第１洗浄部材１０６は第１端部１０６Ａが第２洗浄部材１０８から離れる方向に傾いているので、処置具起立台６０を洗浄する際、より第１洗浄部材１０６を隙間部７０または７２に挿入しやすいという利点がある。
【０１２６】
なお、第３変形例では、上述した実施形態と同様に第１洗浄部材１０６の第１端部１０６Ａの高さを第２洗浄部材１０８の第２端部１０８Ａの高さより高くなっている構成としたが、この構成に限らず、第１洗浄部材１０６の長さが第２洗浄部材１０８の長さよりも長く構成されていれば、第１洗浄部材１０６の第１端部１０６Ａの高さ位置と第２洗浄部材１０８の第２端部１０８Ａの高さ位置の高さ関係は問わない。例えば、第１洗浄部材１０６の第１端部１０６Ａの高さ位置と第２洗浄部材１０８の第２端部１０８Ａの高さ位置が同じ高さ位置でもよいし、第２洗浄部材１０８の第２端部１０８Ａの高さ位置が第１洗浄部材１０６の高さ位置よりも高くてもよい。
【０１２７】
このように、少なくとも第１洗浄部材１０６の長さが第２洗浄部材１０８の長さよりも長く構成された起立台洗浄用具１００Ｄによれば、隙間部７０または７２に第１洗浄部材１０６の先端（第１端部１０６Ａ）を挿入しやすくなる。また、隙間部７０または７２に第１洗浄部材１０６を挿入した後は、第１洗浄部材１０６の柔軟性により隙間部７０または７２の形状に合わせて容易に深部まで押し込むことができる。したがって、処置具起立台６０の洗浄作業を短時間で手間をかけずに効率的に行うことが可能となる。
【０１２８】
（第４変形例）
図１６は、第４形例としての起立台洗浄用具１００Ｅの構成を示した概略図である。図１６中、図６から図８と共通または類似する要素には同一の番号を付し、その説明を省略する。
【０１２９】
図１６に示すように、第４変形例としての起立台洗浄用具１００Ｅは、ヘッド部１０４の先端側に第１洗浄部材１０６が、ハンドル部側に第２洗浄部材１０８が設けられ、第１洗浄部材１０６の第１端部１０６Ａの高さ位置が第２洗浄部材１０８の第２端部１０８Ａの高さ位置よりも高い点は上述した実施形態と共通しているが、第１洗浄部材１０６と第２洗浄部材１０８とは異なる材質で形成されている点が異なっている。具体的には、第１洗浄部材１０６は複数本のブラシ毛を用いて形成されているが、第２洗浄部材１０８はスポンジ部材で形成されている。
【０１３０】
第４変形例としての起立台洗浄用具１００Ｅによれば、第２洗浄部材１０８を柔軟性のあるスポンジ部材で形成したので、第２洗浄部材１０８を被洗浄面の形状に合わせて密着して当接させることができ、被洗浄面の洗浄効率を向上させることが可能となる。
【０１３１】
（第５変形例）
図１７は、第５変形例としての起立台洗浄用具１００Ｆの構成を示した概略図である。図１７中、図６から図８と共通または類似する要素には同一の番号を付し、その説明を省略する。第５変形例での第１洗浄部材１０６、第２洗浄部材１０８、及び第３洗浄部材１１６は、複数本のブラシ毛を用いて形成される。
【０１３２】
第５変形例としての起立台洗浄用具１００Ｆは、ヘッド部１０４の先端側に第１洗浄部材１０６が立設され、ハンドル部側に第２洗浄部材１０８が立設されている点は上述の実施形態と共通しているが、基準面Ｑに対してヘッド部１０４の両側それぞれに第１洗浄部材１０６と第２洗浄部材１０８が立設されている。
【０１３３】
ヘッド部１０４の両側の各第１洗浄部材１０６と各第２洗浄部材１０８は、上述した実施形態と同様に基準面Ｑに垂直な方向に形成されているが、第２洗浄部材１０８の長さは、基準面Ｑの一方側（図の上側）においては、長手軸Ｐの先端側から中央部に向かって段階的に長くなり、中央部から基端側に向かって段階的に短くなっている。また、第２洗浄部材１０８の長さは、基準面Ｑの他方側（図の下側）においては、長手軸Ｐの基端側に向かって段階的に短くなっている。さらにヘッド部１０４の先端面には、先端側に向かって延びる第３洗浄部材１１６が設けられている。第３洗浄部材１１６は、第１洗浄部材１０６や第２洗浄部材１０８と同様に、複数本のブラシ毛により構成される。
【０１３４】
第５変形例によれば、処置具起立台６０の形状に応じて洗浄に用いる洗浄部材を選択し、使い分けることができる。例えば、処置具案内面６２のように凸状面と隙間部７０または７２を洗浄する場合は、基準面Ｑの一方側（図の上側）の洗浄部材１０６及び１０８を用いて洗浄し、背面６４のように凹状面と隙間部７０または７２を洗浄する場合は、基準面Ｑの他方側（図の下側）の洗浄部材１０６及び１０８を用いて洗浄することができる。また、一連の洗浄作業に追加して隙間部７０または７２のみを洗浄する場合は、先端側の第３洗浄部材１１６を用いて洗浄することができる。
【０１３５】
以上、第１変形例から第５変形例まで説明したが、これらの変形例は適宜組み合わせることが可能である。
【符号の説明】
【０１３６】
１０  内視鏡
１２  挿入部
１２ａ  先端部
１２ｂ  湾曲部
１２ｃ  軟性部
１４  操作部
１６  ユニバーサルコード
１８  アングルノブ
２０  起立操作レバー
２１ａ  送気送水ボタン
２１ｂ  吸引ボタン
２２  処置具導入口
３０  先端部本体
３２  キャップ
３２Ａ  開口窓
３４  平坦面
３６  観察窓
３８  照明窓
３９  送気送水ノズル
４０  起立台収容スリット
４０ａ  開口部
４２  第１側壁部
４４  第２側壁部
４６  基壁部
４８  起立台収納壁部
６０  処置具起立台
６０Ａ  起立台本体部
６０Ｂ  回転軸保持部
６２  処置具案内面
６４  背面
７０  隙間部
７２  隙間部
８０  起立レバー
８２  操作ワイヤ
９０  基部端面
９２  後端面
１００、１００Ａ、１００Ｂ、１００Ｃ、１００Ｄ、１００Ｅ、１００Ｆ  起立台洗浄用具
１０２  ハンドル部
１０４  ヘッド部
１０６  第１洗浄部材
１０６Ａ  第１端部
１０８  第２洗浄部材
１０８Ａ  第２端部
１１０  洗浄部材保持面
１１２  第１洗浄部材保持面
１１４  第２洗浄部材保持面
１１６  第３洗浄部材
【図１】
2017029904.tif 000003
【図２】
2017029904.tif 000004
【図３】
2017029904.tif 000005
【図４】
2017029904.tif 000006
【図５】
2017029904.tif 000007
【図６】
2017029904.tif 000008
【図７】
2017029904.tif 000009
【図８】
2017029904.tif 000010
【図９Ａ】
2017029904.tif 000011
【図９Ｂ】
2017029904.tif 000012
【図９Ｃ】
2017029904.tif 000013
【図１０】
2017029904.tif 000014
【図１１】
2017029904.tif 000015
【図１２】
2017029904.tif 000016
【図１３】
2017029904.tif 000017
【図１４】
2017029904.tif 000018
【図１５】
2017029904.tif 000019
【図１６】
2017029904.tif 000020
【図１７】
2017029904.tif 000021
【手続補正書】
【提出日】平成30年2月13日(2018.2.13)
【手続補正１】
【補正対象書類名】特許請求の範囲
【補正対象項目名】請求項１
【補正方法】変更
【補正の内容】
【請求項１】
先端と基端と長手軸を有するハンドル部と、
前記ハンドル部の先端側に設けられたヘッド部と、
前記ヘッド部に前記長手軸を含む基準面と交差する方向に立設された第１洗浄部材と、
前記ヘッド部に前記基準面と交差する方向でかつ前記第１洗浄部材よりもハンドル部側に立設され、前記長手軸に垂直な面に投影した場合に前記第１洗浄部材と平行または一致するように設けられた第２洗浄部材と、を有し、
前記第１洗浄部材は前記ヘッド部側の一端部とは反対側に第１端部を有し、
前記第２洗浄部材は前記ヘッド部側の一端部とは反対側に第２端部を有し、
前記第１端部は前記基準面から前記基準面に直交する方向の高さ位置が第１高さ位置であり、かつ前記第２端部は前記基準面から前記基準面に直交する方向の高さ位置が前記第１高さ位置よりも低い第２高さ位置である
起立台洗浄用具を用いて、内視鏡の処置具起立台を洗浄する方法であって、
前記第１洗浄部材を、前記内視鏡の起立台収納壁部と前記処置具起立台との間の隙間部に挿入する第１洗浄部材挿入ステップと、
前記第２洗浄部材を、前記処置具起立台の処置具案内面に当接させる第２洗浄部材当接ステップと、
前記第１洗浄部材を前記隙間部に挿入し、かつ前記第２洗浄部材を前記処置具案内面に当接させた状態で前記起立台洗浄用具を前記処置具案内面に沿って移動させる起立台洗浄用具移動ステップと、
を含む処置具起立台の洗浄方法。
【手続補正２】
【補正対象書類名】特許請求の範囲
【補正対象項目名】請求項２
【補正方法】変更
【補正の内容】
【請求項２】
先端と基端と長手軸を有するハンドル部と、
前記ハンドル部の先端側に設けられたヘッド部と、
前記ヘッド部に前記長手軸を含む基準面と交差する方向に立設された第１洗浄部材と、
前記ヘッド部に前記基準面と交差する方向でかつ前記第１洗浄部材よりもハンドル部側に立設され、前記長手軸に垂直な面に投影した場合に前記第１洗浄部材と平行または一致するように設けられた第２洗浄部材と、を有し、
前記第１洗浄部材は前記ヘッド部側の一端部とは反対側に第１端部を有し、
前記第２洗浄部材は前記ヘッド部側の一端部とは反対側に第２端部を有し、
前記第１端部は前記基準面から前記基準面に直交する方向の高さ位置が第１高さ位置であり、かつ前記第２端部は前記基準面から前記基準面に直交する方向の高さ位置が前記第１高さ位置よりも低い第２高さ位置である
起立台洗浄用具を用いて、内視鏡の処置具起立台を洗浄する方法であって、
前記第１洗浄部材を、前記内視鏡の起立台収納壁部と前記処置具起立台との間の隙間部に挿入する第１洗浄部材挿入ステップと、
前記第２洗浄部材を、前記処置具起立台の処置具案内面とは反対側の背面に当接させる第２洗浄部材当接ステップと、
前記第１洗浄部材を前記隙間部に挿入し、かつ前記第２洗浄部材を前記背面に当接させた状態で前記起立台洗浄用具を前記背面に沿って移動させる起立台洗浄用具移動ステップと、
を含む処置具起立台の洗浄方法。
【手続補正３】
【補正対象書類名】明細書
【補正対象項目名】０００９
【補正方法】変更
【補正の内容】
【０００９】
上記目的を達成するために、本発明の第１の態様に係る処置具起立台の洗浄方法は、先端と基端と長手軸を有するハンドル部と、ハンドル部の先端側に設けられたヘッド部と、ヘッド部に長手軸を含む基準面と交差する方向に立設された第１洗浄部材と、ヘッド部に基準面と交差する方向でかつ第１洗浄部材よりもハンドル部側に立設され、長手軸に垂直な面に投影した場合に第１洗浄部材と平行または一致するように設けられた第２洗浄部材とを有し、第１洗浄部材はヘッド部側の一端部とは反対側に第１端部を有し、第２洗浄部材はヘッド部側の一端部とは反対側に第２端部を有し、第１端部は基準面から基準面に直交する方向の高さ位置が第１高さ位置であり、かつ第２端部は基準面から基準面に直交する方向の高さ位置が第１高さ位置よりも低い第２高さ位置である起立台洗浄用具を用いて、内視鏡の処置具起立台を洗浄する方法であって、第１洗浄部材を、内視鏡の起立台収納壁部と処置具起立台との間の隙間部に挿入する第１洗浄部材挿入ステップと、第２洗浄部材を、処置具起立台の処置具案内面に当接させる第２洗浄部材当接ステップと、第１洗浄部材を隙間部に挿入し、かつ第２洗浄部材を処置具案内面に当接させた状態で起立台洗浄用具を処置具案内面に沿って移動させる起立台洗浄用具移動ステップを含む態様である。
【手続補正４】
【補正対象書類名】明細書
【補正対象項目名】００１１
【補正方法】変更
【補正の内容】
【００１１】
第２の態様に係る処置具起立台の洗浄方法は、先端と基端と長手軸を有するハンドル部と、ハンドル部の先端側に設けられたヘッド部と、ヘッド部に長手軸を含む基準面と交差する方向に立設された第１洗浄部材と、ヘッド部に基準面と交差する方向でかつ第１洗浄部材よりもハンドル部側に立設され、長手軸に垂直な面に投影した場合に第１洗浄部材と平行となるように設けられた第２洗浄部材とを有し、第１洗浄部材はヘッド部側の一端部とは反対側に第１端部を有し、第２洗浄部材はヘッド部側の一端部とは反対側に第２端部を有し、第１端部は基準面から基準面に直交する方向の高さ位置が第１高さ位置であり、かつ第２端部は基準面から基準面に直交する方向の高さ位置が第１高さ位置よりも低い第２高さ位置である起立台洗浄用具を用いて、内視鏡の処置具起立台を洗浄する方法であって、第１洗浄部材を、内視鏡の起立台収納壁部と処置具起立台との間の隙間部に挿入する第１洗浄部材挿入ステップと、第２洗浄部材を、処置具起立台の処置具案内面とは反対側の背面に当接させる第２洗浄部材当接ステップと、第１洗浄部材を隙間部に挿入し、かつ第２洗浄部材を背面に当接させた状態で起立台洗浄用具を背面に沿って移動させる起立台洗浄用具移動ステップとを含む態様である。
【手続補正５】
【補正対象書類名】明細書
【補正対象項目名】００１６
【補正方法】変更
【補正の内容】
【００１６】
第４の態様によれば、処置具起立台を起立させた後に第２洗浄部材を隙間部に挿入するので、第２洗浄部材を隙間部に挿入しやすく、洗浄作業をより効率的に行うことが可能となる。
【手続補正６】
【補正対象書類名】明細書
【補正対象項目名】００３５
【補正方法】変更
【補正の内容】
【００３５】
第１４の態様に係る処置具起立台の洗浄方法は第１から第１２の態様のいずれか１つにおいて、第１洗浄部材及び第２洗浄部材は複数のブラシ毛を有する態様である。
【手続補正７】
【補正対象書類名】明細書
【補正対象項目名】００４４
【補正方法】変更
【補正の内容】
【００４４】
図２は、図１に示した内視鏡の先端部を拡大して示した斜視図である。本実施形態の内視鏡１０は例えば十二指腸鏡として用いられる側視内視鏡であり、図２の先端部１２ａは側視内視鏡における構成を示す。図２に示すように、先端部１２ａは、先端部本体３０と、この先端部本体３０を覆うキャップ３２とを有している。キャップ３２には、先端部本体３０に装着された状態において、後述の起立台収容スリット４０の上面側の開口に対応する位置に開口窓３２Ａが形成されている。キャップ３２は、弾性力のある材質、例えばシリコーンゴムからなる。本実施形態の内視鏡１０では、キャップ３２は先端部本体３０に接着されている。
【手続補正８】
【補正対象書類名】明細書
【補正対象項目名】００４８
【補正方法】変更
【補正の内容】
【００４８】
起立台６０は、処置具導出口を介して起立台収容スリット４０に導かれた処置具の進行方向を曲げてその処置具を起立台収容スリット４０の上面側の開口部４０ａへと向かう方向に案内する。
【手続補正９】
【補正対象書類名】明細書
【補正対象項目名】０１２０
【補正方法】変更
【補正の内容】
【０１２０】
すなわち、第２変形例としての起立台洗浄用具１００Ｃでは、ヘッド部１０４の先端側に配置される第１洗浄部材１０６を隙間部７０または７２に挿入しやすくするために第１洗浄部材１０６の長さは第２洗浄部材１０８の長さよりも長く構成される一方で、第２洗浄部材１０８の第２端部１０８Ａの高さ位置は被洗浄面の形状に合わせて長手軸Ｐ方向に沿ってその長さが変化するように構成される。例えば、図１４に示すように、長手軸Ｐ基端側に向かって段階的に短くした場合には、処置具起立台６０の背面６４のように凸状の被洗浄面に第２洗浄部材１０８を当接させやすくなる。
【手続補正１０】
【補正対象書類名】明細書
【補正対象項目名】０１２８
【補正方法】変更
【補正の内容】
【０１２８】
（第４変形例）
図１６は、第４変形例としての起立台洗浄用具１００Ｅの構成を示した概略図である。図１６中、図６から図８と共通または類似する要素には同一の番号を付し、その説明を省略する。
【国際調査報告】
2017029904.tif 000022
2017029904.tif 000023
2017029904.tif 000024
2017029904.tif 000025